Podtech/llm-jp-corpus-v4-ja_patent huggingface dataset:
(57)【要約】      （修正有）【課題】暑くてスーツを脱いでも片手がつねに空き、又腕にかけなくて良いので汗でベトベトにならないハンガーを提供する。【解決手段】カバンと一緒にもつので持つ所に対しカタカナのコ型のハンガーを作る。コ型でスーツをはさむようにして使用する。コ型の横棒内側にはスベリ止めを使用し、コ型の縦棒部分は伸び縮みするようにして作成する。雨の日の為に、ビニールを装着できるようにする。普段はカバンにはいるよう雨よけビニールをハンガー本体にクルクル巻いてコンパクトにして携帯できるようにする。【選択図】図１
0003154017.tif 000002
【実用新案登録請求の範囲】
【請求項１】
得にサラリーマンの方にスーツ等の上着を脱いだ時に営業カバンと一緒に持てれば非常に実用的ではないかというハンガーを作成
暑い時にカバンの反対側の手で持ったり腕にかけ、その腕が汗でベトベトになるのを解消できる。
又、雨の時に傘を差してカバンを持つと上着を持てなく着るしかない状態で体がジトジト、ベトベトになるのも解消できる
【考案の詳細な説明】
【技術分野】
【０００１】本考案はスーツ等の上着をカバンと一緒に持ってしまおうとするもの
暑い日に脱いだスーツが邪魔で両手がふさがってしまう
【背景技術】
【考案の開示】
【０００２】
【考案が解決しようとする課題】
【０００３】本考案のハンガーは、営業でカバンを持っているサラリーマンの方が暑くて脱いだスーツをカバンと一緒に持つことで両手がふさがらず、又、雨の時でも傘をさしてもスーツが脱げベトベトを解決しようとするもの。
【課題を解決するための手段】
【０００４】本考案はスーツを縦に２つ折りして腕にかけているのをハンガーにかえてしまおうという物。カバンと一緒にもつので持つ所に対しカタカナのコ型のハンガーを作る。
コ型でスーツをはさむようにして使用。コ型の横棒内側にはスベリ止め使用
コ型の縦棒部分は伸び縮みするようにして作成。雨の日の為に、ビニールを装着できるようにする。普段はカバンにはいるよう雨よけビニールをハンガー本体にクルクル巻いてコンパクトにして携帯できるようにする。
【考案の効果】
【０００５】暑くてスーツを脱いでも片手がつねに空き、又腕にかけなくて良いので汗でベトベトにならない。雨の日でも傘をさしてもスーツを脱げる。
【考案を実施するための最良の形態】
【０００６】コンパクトにしてカバンに入るのが最良の形態。
【図面の簡単な説明】
【０００７】
【図１】はコンパクトな持ちはこびハンガー
【符号の説明】
１、持つところ  ２  服の厚さによって伸び縮みができ一番上の図のようにボタンをずらすことで止める位置をきめられる  ３、ビニールカバーを止めるボタン  ４、スベリ止めがついており服が落ちないよう上下ではさむ  ５、雨よけビニールカバー  ６、コンパクトにしまう時に一番下の図のようにビニールをまいて最終とめるボタン  ７、一番左の図のように押すとハンガーの長さが長くなる
【図１】
0003154017.tif 000003
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
カバンに入るようコンパクトに作り、コの字形にし持つところをＯ形にして、脱いだスーツを掛けられるところを特徴とした営業カバンとスーツが一緒に持てるハンガー
(57)【要約】      （修正有）【課題】セルフプレーでのクラブの置き忘れや、雨など水分からのグリップの濡れを防ぎ、クラブ管理を容易にする、セパレートされたそれぞれの筒を取り外せるようにしたゴルフ用キャディーバックを提供する。【解決手段】強化してあるキャディーバック外枠ならびに隔壁によって複数に仕切られた、それぞれのセパレート口に取り外し可能で、携行のための取手を備える筒を装備し、その一筒にはゴルファーが使う任意の４本くらいのクラブを収納可能にした。【選択図】図１
0003154078.tif 000002
【実用新案登録請求の範囲】
【請求項１】
ゴルファー自信がよく使う、４本から５本くらいのクラブを一度に一まとめにキャディーバックより一筒で抜き出しやすく戻しやすくした、セパレートされたそれぞれの筒が取り外し可能なキャディーバック。
【考案の詳細な説明】
【技術分野】
【０００１】
本考案は、ゴルフ用キャディーバックのセパレートされている、それぞれの筒のままを手軽に取り外せるようにし、ゴルフのセルフプレーにおけるゴルフクラブの置き忘れや、雨や朝露などの水分によるグリップの濡れを防ぐなど、ゴルフクラブの管理を容易にするものである。
【背景技術】
【０００２】
昨今のゴルフプレースタイルは、景気後退などの要因により接待ゴルフの縮小や、個人プレーヤーの費用の削減ならびに節約と、アメリカンゴルフスタイルの浸透により、多くのゴルファーが自走式又は運転式のカートによるセルフプレーを選択しているのが現状である。
【０００３】
そのようなプレースタイルにおいて自走式又は運転式のゴルフカートはコース脇の専用カート道路を走行することが、大多数の各コースに置いて義務化されている。
【０００４】
そのようなことから、ゴルファーはフェアーウェーにおいての２打目又は３打目ならびにグリーン回りでのショットには、ゴルフカートからボールのおかれた傾斜やライの状態を遠目に判断するか、大まかな予想を立てて、クラブを選択し数本を握りしめてボールの地点へ向かうことになる。
【先行技術文献】
【非特許文献】
【０００５】
【非特許文献１】森章著  倉敷の歴史第１７号２００７年３月倉敷周辺の毘沙門天磨崖仏  −石田山毘沙門天磨崖仏を中心に−  倉敷市発行
【考案の概要】
【考案が解決しようとする課題】
【０００６】
その場合、ボールの地点での判断は転がしてのアプローチが最前と思われることも多く、ウエッジ類しか持ってこなかった場合、ゴルフカートへ取りに帰るか、手持ちのクラブで打つことになり、意図しないクラブでのミスは精神的にも大きなストレスとなり、クラブを取りに帰っても時間のロスと肉体的疲労を強いられる。
【０００７】
そして、そのようなストレスや疲労の蓄積により、初級又は中級ゴルファーに多いグリーン回りでのクラブの置き忘れが多発しており、他のプレーヤーにも大小なりの迷惑をかけている現状がある。解決手段が必要である。
【０００８】
また、雨でのプレーは不使用クラブを傘の骨組みに立てかける不便や、朝方の露ではグリップの湿りを防ぐためのクラブを立てかける場所が無いなど、２打目又は３打目ならびにグリーン回りでのクラブ管理は容易ではない。
【課題を解決するための手段】
【０００９】
そのために各ゴルファー自信がよく使う、４本から５本くらいのクラブを一度に一まとめにキャディーバック本体より、セパレートされている、それぞれの筒ごと手軽に取り外せ、抜き出しやすく戻しやすくしている。
【考案の効果】
【００１０】
そのため、想定できるゴルフクラブが一筒に収納出来き、気持ちの上での余裕からクラブの置き忘れが改善出来、また収納していることによって雨や露からグリップの濡れが改善できる。
【図面の簡単な説明】
【００１１】
【図１】図１はキャディーバック全体の実施方法を示した説明図である。（実施例１、実施例２、実施例４、実施例５）
【図２】図２はキャディーバック入り口枠の補強と面取りの断面の実施方法を示した説明図である。（実施例３）
【考案を実施するための形態】
【実施例１】
【００１２】
ゴルフカートに積み込み、固定するため帯紐での締め付けとキャディーバック自体の重量により、通常形体のキャディーバックですら変形することがあるため、図１の符号１のように上部より４０ｃｍはスチール筒での補強が施してある。
【実施例２】
【００１３】
また、いずれか一筒を抜くことによって、セパレートされた各筒間ならびに側面の強度が弱まることが予想されるため、図１の符号２のように通常より２倍以上の強度を持たせた塩化ビニル樹脂材を隔壁と側面に使用する。
【００１４】
また通常は各筒間が布材で仕切られているが、本考案は隔壁と側面素材と同じく、２倍以上の強度を持った塩化ビニル樹脂を使用する。
【実施例３】
【００１５】
そして、入り口部分にも取り外した一筒ならびに、通常のクラブが出し入れ容易なよう、図２の符号３−１のように十分なアールを持った面取りを施したスチール又はアルミ材の枠で補強している。
【実施例４】
【００１６】
取り外した一筒にも持ち運びの利便性を考え、図１の符号４のように取手をつけた。
【実施例５】
【００１７】
取り外した一筒に取手の部分が有っても、スムースに取り外しや戻しが出来るようキャディーバック本体に溝を備えた。図１の符号５に示した溝はセパレート形状が図１のような４区切りの場合で、取り外し一筒が上部にある場合であり、中段左右ならびに下段にも取手を付ける場合はそれぞれの外周部分にも溝を設けることになる。
【符号の説明】
【００１８】
１      キャディーバック本体の金属製補強筒
２      強化素材での外壁と隔壁
３      入り口強化用金属枠
３−１  入り口強化用金属枠の断面
４      取り外し筒用取手
５      取手収納用溝
【図１】
0003154078.tif 000003
【図２】
0003154078.tif 000004
【手続補正書】
【提出日】平成21年6月2日(2009.6.2)
【手続補正１】
【補正対象書類名】実用新案登録請求の範囲
【補正対象項目名】請求項１
【補正方法】変更
【補正の内容】
【請求項１】
ゴルファー自身がよく使う、４本から５本くらいのクラブを一度に一まとめにキャディーバックより一筒で抜き出しやすく戻しやすくした、セパレートされたそれぞれの筒が取り外し可能なキャディーバック。
【手続補正書】
【提出日】平成21年7月27日(2009.7.27)
【手続補正１】
【補正対象書類名】実用新案登録請求の範囲
【補正対象項目名】全文
【補正方法】変更
【補正の内容】
【実用新案登録請求の範囲】
【請求項１】
通常製品より強化してあるキャディーバック外枠ならびに隔壁によって複数に仕切られた、それぞれのセパレート口に取り外し可能で、携行のための取手を備える筒を装備し、その一筒にはゴルファーが使う任意の４本くらいのクラブを収納可能にしており、それぞれ一筒で抜き出しやすく戻しやすくしたキャディーバック。
(57)【要約】      （修正有）【課題】異常時のＳＯＧ制御装置供給電源喪失事態にあっても、一定の時間制御動作を保証することによって、必要な開閉器トリップ責務を確保して波及事故を避けることができる停電補償回路を提供する。【解決手段】ＳＯＧ制御装置の直流電源部に大容量のコンデンサーと抵抗・ダイオードからなる簡単な回路を付加し、電源投入時の立ち上がり動作を満足させるとともに、電源喪失時においても一定の時間直流電源電圧を維持して制御機能を確保する。【選択図】図１
0003154079.tif 000002
【実用新案登録請求の範囲】
【請求項１】
ＳＯＧ制御装置等の電源投入時の立ち上がり動作を満足させるとともに、供給電源喪失の場合には一定時間直流電源電圧を維持して、制御動作等を確保するための直流電源部に付加する停電補償回路。
【考案の詳細な説明】
【技術分野】
【０００１】
本考案は、開閉器トリップ制御の停電補償に関するものである。
【背景技術】
【０００２】
高圧区分開閉器（ＰＡＳ）において、負荷異常時のトリップ制御はＳＯＧ制御装置で零相電流を検知して行っている。通常、ＳＯＧ制御装置の供給電源は区分開閉器より負荷側の変圧器出力より供給されている。定常状態であれば、たとえばケーブル事故においてもＳＯＧ制御装置が正常に動作し、区分開閉器をトリップさせて負荷を切り離し、波及事故を避けることができる。
【０００３】
しかし、負荷異常がＳＯＧ制御装置の供給電源系統であった場合には、制御電源を喪失しＳＯＧ制御装置が動作せず、開閉器をトリップすることができなくて波及事故となる事例がたびたび発生している。
【０００４】
この解決策として区分開閉器に変圧器を内蔵し、その出力を供給電源とする方法も使用されている。しかしこの場合においても制御電源喪失による問題は解決されない。
【０００５】
また、改善策として、ＳＯＧ制御装置に無停電電源（バッテリー等）を設置して、制御電源を喪失してもバックアップする方法があるが、設置場所の問題（多くは構内柱に設置）やコストの問題で実用化されていない。さらに制御電源部に大容量のコンデンサーを使用して、停電後も一定時間制御回路の電源を確保する方法があるが、これは電源投入時の制御立ち上がり時間の遅延を招くこととなり、その容量にも限界があり、数十秒間にわたる制御機能確保は困難である。
【先行技術文献】
【特許文献】
【０００６】
なし
【非特許文献】
【０００７】
【非特許文献１】責任分界点用  GR付高圧交流負荷開閉器  技術説明資料  （株）戸上電機製作所  ２０００年９月版
【考案の概要】
【考案が解決しようとする課題】
【０００８】
解決しようとする問題点は、ＳＯＧ制御装置の供給電源喪失により必要な開閉器トリップ制御を確保できない点である。
【課題を解決するための手段】
【０００９】
本考案は、ＳＯＧ制御装置の直流電源部に簡単な回路を付加し、電源投入時の立ち上がり動作を満足させるとともに、電源喪失時においても一定の時間直流電源を確保して制御機能を動作状態におくことを特徴とする。
【考案の効果】
【００１０】
本考案の開閉器トリップ制御停電補償回路は、異常時のＳＯＧ制御装置供給電源喪失事態にあっても、一定の時間制御動作を保証することによって、必要な開閉器トリップ責務を確保して波及事故を避けることができる。
【図面の簡単な説明】
【００１１】
【図１】図１は停電補償回路を示した説明図である。（実施例１）
【考案を実施するための形態】
【００１２】
停電後の一定時間制御電源を確保するという目的を、既設の制御電源直流部に簡単な付加回路で実現した。
【実施例１】
【００１３】
図１は、本考案装置の１実施例の回路図であって、７は電源入力、８は直流電源出力である。
【００１４】
整流回路の出力はコンデンサー２で脈流を平滑され、ダイオード５を通して安定電源部へ出力される。一方、整流出力はダイオード５および抵抗４を通してコンデンサー３を充電する。この時、制御電源の立ち上がりはコンデンサー３の容量が大きくとも抵抗４が直列に入ることによって、コンデンサー２で決まる立ち上がり時間に影響を与えない。
【００１５】
制御装置供給電源が断となった場合、充電されたコンデンサーが放電して、負荷に一定時間電圧を供給する。放電はコンデンサー２と３がダイオード５と６を通じて同時に開始し、まず容量の小さいコンデンサー２の放電が終了するが、後は容量の大きいコンデンサー３が放電を継続し負荷へ電圧を供給する。このため、放電容量はコンデンサー２に３を加えたものとなり、コンデンサー３の静電容量を大きく選ぶことによって、制御電源喪失後も数十秒間にわたって制御機能を確保することができる。なお、直流負荷消費電流が少ないものは、５および６のダイオードの省略は可能である。
【符号の説明】
【００１６】
１    制御電源整流回路
２    平滑用コンデンサー
３    直流電圧保持用コンデンサー
４    直列抵抗
５    ダイオード１
６    ダイオード２
【図１】
0003154079.tif 000003
【手続補正書】
【提出日】平成21年7月15日(2009.7.15)
【手続補正１】
【補正対象書類名】実用新案登録請求の範囲
【補正対象項目名】全文
【補正方法】変更
【補正の内容】
【実用新案登録請求の範囲】
【請求項１】
区分開閉器のSOG制御装置電源部の直流整流回路において、抵抗と大容量コンデンサーを直列に接続した停電補償用の充電回路と、停電時に大容量コンデンサーの充電電圧を抵抗をバイパスして負荷に供給するダイオードおよび直流整流部への逆流を阻止するダイオードで構成した回路で、直流整流回路の平滑コンデンサー出力に付加し、直流出力電圧の電源投入時における速やかな立ち上がり特性と、停電時の緩やかな立ち下がり特性とを備えていることを特徴とする開閉器トリップ制御停電補償回路。
(57)【要約】      （修正有）【課題】常に五線の端部が表出し、無駄な部分を発生させず、操作性に優れた音楽用のロール状五線粘着メモ用紙を提供する。【解決手段】裏面全面に感圧性接着材からなる接着剤層を備えたロール紙に長手方向に五線、３０印刷を施しロール状五線粘着メモ用紙を構成する。あるいは、前記ロール紙２０には、前記五線３０の印刷部の上下部に余白部４０、４１を設けるとともに、余白幅を切り取調整するミシン目５０が長手方向に設けてロール状五線粘着メモ用紙１０を構成しても良い。【選択図】図３
0003154076.tif 000002
【実用新案登録請求の範囲】
【請求項１】
裏面全面に感圧性接着材からなる接着剤層を備えたロール紙に長手方向に五線印刷を施してなるロール状五線粘着メモ用紙。
【請求項２】
前記ロール紙には、前記五線印刷部の上下部に余白部を設けるとともに、余白幅を切り取調整するミシン目が長手方向に設けられてなる前記請求項１記載のロール状五線粘着メモ用紙。
【考案の詳細な説明】
【技術分野】
【０００１】  本考案は、音楽家が譜面を訂正する際に使用するメモ用紙に関する。特に演奏に際して、曲を編曲したりする際は、最初から楽譜を書き換えたりするが、イントロや終わり方を変えたり、部分的にアレンジしたりする際に、譜面の上に貼り付けたり、余白に書き込む際に使用する音楽用のメモ用紙に関する。
【背景技術】
【０００２】  例えば、演奏家がアンサンブルなど演奏時間の問題で、曲の長さを変えたり、終わり方を変えたり、あるいは、メンバーの関係で、バランスが悪いとそれを補うために譜面を変えたりすることは、演奏家の間で、頻繁に行われることである。そのため演奏家は、譜面の上に紙を貼りつけた面や、譜面の余白に定規で五線を書き込み、さらに音符など書き込んで部分的な訂正を加えている。【０００３】  また、声楽家は既存の楽譜中の数小節を、自分の歌いやすい音、又は指示された音にアレンジをし、既存楽譜通りに歌わないことが頻繁にある。そのため、既存の五線上に修正の必要があり、余白に手書きで書いている。【０００４】  また、長時間演奏の場合の楽器奏者は、次のページをめくる際に、必ずしもめくる数秒の時間がタイミングよくめくる時にあるとは限らず、曲が不自然に止まらないよう、次ページの数小節を前ページ下に書き写している。【０００５】
【特許文献１】  実公昭６２−１１６２７５号
【考案の表示】
【考案が解決しようとした課題】
【０００６】  譜面の訂正の場合、特許文献１で示されたような、短片の楽譜訂正用粘着ラベルが開示されている。これを使用して、訂正する譜面の上に所望の長さに切って、貼りつけ、その上から訂正音符などを書き込んでいけばよい。
【０００７】  しかしながら、この楽譜訂正用粘着ラベルは単片であるので、所望の長さに切断する際、先端の余白部分を切落としたり、必要な長さのメモ用紙を使用した後、残った部分が、次に使用するときにサイズが足りず無駄な部分が頻繁に出てしまう問題があった。したがって、無駄が多く、余白などの切断作業があり作業性が悪かった。
【０００８】  本願考案は、従来に比べ常に五線の端部が表出し、無駄な部分を発生させず、操作性に優れた音楽用のメモ用紙を提供することを目的とする。
【課題を解決するための手段】
【０００９】  上記目的を達成するために請求項１に係わる考案は、裏面全面に感圧性接着材からなる接着剤層を備えたロール紙とし、長手方向に五線印刷を施すとともに五線幅方向に所定の余白を設けてなるロール状五線粘着メモ用紙とした。
【００１０】  また、請求項２に係わる考案は、前記ロール状五線粘着メモ用紙おいて、前記五線印刷部の上下余白部が、余白幅を切り取調整するミシン目が長手方向に設けられてなる構成としたものである。
【図面の簡単な説明】
【００１１】
【図１】  本考案の斜視説明図。
【図２】  本考案の平面説明図。
【図３】  本考案の他の実施例を示す平面説明図。
【図４】  従来技術の説明図。
【考案を実施するための形態】
【００１２】  図１、図２に示されるように前記ロール紙２は、巻き芯４に巻かれたものであり、裏面に感圧性接着材からなる接着剤層（図示せず）を設け、メモ用紙の表面には、その長手方向に延びる五線３が印刷により設けられている。長手方向と直交する幅方向、つまり五線３の上下には、少なくとも余白４が設けられている。この余白４にも音符が記載されることから、所定の幅がなければならない。
【００１３】このように、五線３が印刷されたメモ用紙がロール状になっているので、どこで切っても五線３の端部が現れているので、短片で提供されるものと比べて、使い勝手がよく、無駄な余白が発生しないので産業上有益なものが提供される。また、五線紙を切って貼ると、元来のものが見えなくなるため、その方法は使えないが、本考案であれば貼ってはがせるので、その悩みが解決する。さらに、音楽の授業中や音楽論文等を書く場合、使うノートは一般的なものであるため、譜例として数小節をノートに書き込みたい場合に本考案が大変役立つ。
【００１４】  また、他の実施例においては、図３に示すように、前記ロール状五線粘着メモ用紙１０おいて、前記五線３０の印刷部の上下余白部４０、４１が、余白幅を切り取調整するミシン目５０が長手方向に設けられてなる構成となっている。
【００１５】  したがって、訂正する譜面の五線の行間が狭い場合には、上または下、あるいは、上下両方をミシン目５０から余白４１を切り離し使用することで狭い幅での譜面にも容易に貼付できる。
【００１６】  さらに、本考案の前記ロール状五線粘着メモ用紙は、訂正する譜面の余白に、常に必要な長さに切断して使用すれば良い。また、第二実施例で示したように、余白が狭い場合、広い場合に合わせて、余白幅を調整できるので、この余白に訂正音符や音符以外のメモ情報を任意に記載できる。
【００１７】  上記考案におけるロール状五線粘着メモ用紙１，１０において、五線３，３０の線間の幅は、各種の幅があるので、複数準備しておくとよい。また、第二実施例における余白幅及びエリアは、各種設けるとともに、ミシン目も複数あっても良い。
【符号の説明】
【００１８】１，１０          ロール状五線粘着メモ用紙
２、２０          ロール紙
３，３０          五線
４，４０、４１    余白
５０              ミシン目
６                巻き芯
【図１】
0003154076.tif 000003
【図２】
0003154076.tif 000004
【図３】
0003154076.tif 000005
【図４】
0003154076.tif 000006
(57)【要約】      （修正有）【課題】簡易な構成で菜園ができ、再利用が可能であり、外部を土や肥料で汚すことが少なく、移動が安易な家庭菜園用バッグを提供する。【解決手段】ポリプロピレン・ポリエチレン製の袋状の容器で、容器本体上端に設けた一対のＵ字状の把手を備える。容器本体底部に複数の水抜き穴が形成されている。【選択図】図１
0003154062.tif 000002
【実用新案登録請求の範囲】
【請求項１】
野菜及び草花、植物を育てるための袋状の容器で、容器本体上端に設けた一対のＵ字状の把手を備え簡単に持運び移動ができ、容器本体をポリプロピレン・ポリエチレン製にしたことで、軽量かつ耐久性に優れ繰り返しの使用を可能とし、容器本体は水を通しにくく、容器本体底部に複数の水抜き穴が形成されているため、必要な水はけができる容器で、ベランダ、バルコニー、室内を汚すことなく、家庭菜園ができる特徴の容器である。
【請求項２】
前記容器本体上端に設けた一対のＵ字状の把手が、使用時に逆Ｕ字状に引き上げられ、把手の非使用時には、容器本体に沿ってＵ字状となる下向きに形成されていることを特徴とする請求１に記載の容器。
【請求項３】
前記容器本体底部に配した水抜き穴を設置したことで、余分な水を排出することができる特徴を持つ請求１に記載の容器。
【考案の詳細な説明】
【技術分野】
【０００１】  本考案は、袋状にした高さを有したバッグ型の容器で、野菜、草花、植物を育てることができる以外にも、根菜類をはじめとする地下で育つ野菜類を、特にベランダやバルコニーや庭などでも育てることのできる容器であり、本体底部分には水はけ穴を施し、また、左右に付けた把手で移動が速やかにおこなえる容器である。
【背景技術】
【０００２】  本考案の家庭菜園用バッグは、家庭菜園容器としては、プラスチック製、陶器製、紙製が知られているが、バッグ型の把手を施した袋状のものはなかった。
【考案の概要】
本考案は野菜及び草花、植物を育てるための袋状の容器で、容器本体上端に設けた一対のＵ字状の把手を備え簡単に持運び移動ができ、容器本体をポリプロピレン・ポリエチレン製にし、軽量かつ耐久性に優れ繰り返しの使用が可能であり、容器本体は水を通しにくく、容器本体底部に複数の水抜き穴が形成されているため、必要な水はけができる容器で、ベランダ、バルコニー、室内を汚すことなく、家庭菜園ができる特徴の容器である。
【考案が解決しようとする課題】
【０００３】  本考案の家庭菜園用バッグは、家庭菜園においては鉢植え容器を使用して栽培を行うが、地上に生育する植物以外の根菜類の栽培は地下深く掘るとこが前提のため無理であった。また、ベランダ、バルコニーのような狭いスペースで菜園をすることが多く、栽培中の植物の位置の移動、及び、栽培終了後の培養土などの廃棄の問題がある。
【課題を解決するための手段】
【０００４】  本考案の家庭菜園用バッグは、袋状にした高さのあるバッグ型容器であり、背の低い植物から背が高く発育する植物までを栽培することが可能であると同時に、地下深く掘らなくては栽培が難しい根菜類までもが栽培することができ、本容器はポリプロピレン・ポリエチレン素材のため、頑丈であり繰り返し使用が可能であるためエコにもなり、かつ軽量であり、左右に把手をつけたことで、栽培中の植物の位置移動及び、栽培終了後の培養土の廃棄処理が簡単に出来ることである。
【考案の効果】
【０００５】  本考案の家庭菜園用バッグは、そのままベランダ、バルコニー、庭などに置き、培養土と定期的な水分を供給するだけで、野菜、草花、植物の栽培が容易であり、栽培終了後の培養土などの廃棄も安易にできる。
【図面の簡単な説明】
【０００６】
【図１】本考案に係る家庭菜園用バッグで栽培した植物が育った時の全体図。
【図２】本考案に係る家庭菜園用バッグの本体を置いた状態の右側斜視図。
【図３】本考案に係る家庭菜園用バッグの本体を置いた状態の左側斜視図。
【図４】本考案に係る家庭菜園用バッグの本体底面図。
【考案を実施するための形態】
【０００７】  以下、図を参照して、本考案を実施するための形態を説明する。
【０００８】  本考案に係る家庭菜園用バッグ１１は、ベランダやバルコニー、庭などにおいて菜園をする際に、家庭菜園用バッグに直接培養土等を入れ、苗や種を植え水分補給をすることで、植えた野菜、草花、植物などを成長させることのできる容器であり、その際、不要な水分は、図２〜４の１３が示すように、水抜き穴より排水できる仕組みで可能になり、周辺を土等で汚すことも少ない。容器の移動は図２〜３の１５である左右に付けた把手を持ち使用することで安易にできるものである。
【実施例】
【０００９】  本考案に係る家庭菜園用バッグは、２００７年３月頃に本考案者が、市販のポリプロピレン・ポリエチレン素材生地を購人し手作りで容器を作成後、野菜、草花、植物を植え育てたところ、ベランダやバルコニー、庭などを土等で汚すことも少なく、移動手段も安易であり、菜園した植物が順調に育ったという実績をもとにしたものである。
【産業上の利用可能性】
【００１０】  本考案に係る家庭菜園バッグは、バッグ本体が繰返しの使用が可能であるため、余分な廃棄物が出にくい。また、栽培終了後の培養土の廃棄処理が簡単であるため、公共の場を汚すことも少ない。そして、バッグ形式の菜園容器が市場にないということがあり、今後の農業菜園市場に画期的な影響を与えるとともに、人々の暮らしの中に密着して普及される可能性が大であると考える。
【符号の説明】
【００１１】１１家庭菜園用バッグ本体
１１ａ底部
１３水抜き穴
１５把手
【図１】
0003154062.tif 000003
【図２】
0003154062.tif 000004
【図３】
0003154062.tif 000005
【図４】
0003154062.tif 000006
【手続補正書】
【提出日】平成21年7月3日(2009.7.3)
【手続補正１】
【補正対象書類名】実用新案登録請求の範囲
【補正対象項目名】全文
【補正方法】変更
【補正の内容】
【実用新案登録請求の範囲】
【請求項１】
野菜及び草花、植物を育てるための袋状の容器で、容器本体上端に設けた一対のＵ字状の把手を備え簡単に持運び移動ができ、容器本体をポリプロピレン・ポリエチレン製にしたことで、軽量かつ耐久性に優れ繰り返しの使用を可能とし、容器本体は水を通しにくく、容器本体底部に複数の水抜き穴が形成されているため、必要な水はけができる容器で、ベランダ、バルコニー室内を汚すことなく、家庭菜園ができる特徴の家庭菜園用バッグ。
【請求項２】
前記容器本体上端に設けた一対のＵ字状の把手が、使用時に逆Ｕ字状に引き上げられ、把手の非使用時には、容器本体に沿ってＵ字状となる下向きに形成されていることを特徴とする請求項１に記載の家庭菜園用バッグ。
【請求項３】
前記容器本体底部に配した水抜き穴を設置したことで、余分な水を排出することができる特徴を持つ請求項１に記載の家庭菜園用バッグ。
(57)【要約】      （修正有）【課題】筒状体に羽根状の形を形成し、風があたる状態で回転し、その振動を支柱軸に伝達することで、土に振動を与え又、回転時に光を反射するモグラおどしを提供する。【解決手段】筒状のアルミ製回転式構造で、筒状の表面に３箇所以上の切り込みを入れた後、前記各切り込みに囲まれた部分を曲げ起こすことによって形成された複数のフインと、筒状体の中心軸にそって回転する為の回転軸と前記筒状体の底面中心軸を回転可能に支持する為の支柱軸からなることを特徴とする。【選択図】図６
0003154065.tif 000002
【実用新案登録請求の範囲】
【請求項１】
筒状体のアルミ製回転式構造物で、筒状体の表面に3箇所以上の切り込みを入れた後、前記各きり込みに囲まれた部分を曲げを起こすことによって形成された複数のフインと筒状体の中心軸にそって回転する為の回転軸と前記筒状体の底面中心部を回転可能に支持する為の支柱軸からなることを地下に及ぶ特徴とするモグラおどし。
【請求項２】
前記筒状体の回転式は、アルミ製を特徴とする請求項１に記載の地上に及ぶ特徴とするモグラおどし。
【考案の詳細な説明】
【技術分野】
【０００１】
筒状体に羽根状の形を形成し、風があたる状態で回転し、その振動を支柱軸に伝達することで、土に振動を与え又、回転時に光を反射するモグラおどしに関するものである。
【背景技術】
【０００２】
従来の羽根回転式では、耐久性に乏しく微振動であって影響少ない為数多く設置しないと効果がなかった。
【考案の概要】
【考案が解決しようとする課題】
【０００３】
筒状体の表面に3箇所以上の羽根を形成しかつ、該筒状体を風により回転させることで、簡便な構造のモグラおどし請求項１及び、野鳥を駆除し地上におよぶ請求項２、特徴を提供することを目的とする。
【課題を解決するための手段】
【０００４】
筒状体のアルミ製回転式構造物で、筒状体の表面に3箇所以上の切り込みを入れた後、前記各切り込みに囲まれた部分を曲げを起こすことによって形成された複数の、フインと、筒状体の中心軸にそって回転する為の回転軸と前記筒状体の底面中心部を回転可能に支持する為の支柱軸からなることを、特徴とするモグラおどし。
【考案の効果】
【０００５】
従来は、構造が大きく場所を取り、かさばる要因であった筒状回転式は、アルミ製でフインが小さく音を発し回転率が増す為、回転時に光を反射し周辺の野鳥を駆除し地上及び地下にも及び、尚場所をとらず風の向きが変化しても容易に回転してコストも安く簡単に加工し易く耐久性に優れ、しかも手が届く範囲で設置移動が容易で振動が大きく回転時に支柱軸が、しなり、蛇行してもフインが外れ、難く共振音を、支柱に易く伝え、モグラの特徴を利用して触角部に錯乱状態にし、モグラの活動範囲を狭め抑える。
【考案を実施するための最良の形態】
【０００６】
畑、茶畑、芝生、他、土地の形態を問わず支柱軸を、垂直に挿しこみ筒状体を載せ穀物の根や農作物の被害を最小限に食い止めミミズを保護し土壌を痩せさせず土地の地形状態を維持する。
【実施例】
【０００７】
図１は、筒状体正面図で一体化し外形は、円形型筒状体でアルミ製で（a）筒状体の凹凸部分は、支柱軸の頂点に接する箇所で、回転の際、常に中心軸に回転可能を維持、中心軸保持箇所で（b）は底に支柱軸が,入る穴が空いて筒状体が回転時に安定に保ち支柱とぶつかり合い音をだす箇所で、（c）は、凹凸部分に小さな釘位の穴を空けると、低い音を発し回転する。（a）筒状体の凹凸部分はアルミ製なので加工し易く上から硬い物で圧縮し二段位の凹凸をつける。(ｂ)の底辺は、中心部分に支柱軸より大きめな穴をドリルかハサミで、空けペンチで丸みを付ける程度で整える（c）釘を使い斜めに貫通し小さい穴を回転の逆方向に作る。この部分はさほど重要でないが、回転を増すと低い音が出る。ここで（a）（b）凹凸部分と底辺の穴とフインが三位一体が重要であることにより回転可能にする。
【０００８】
図２は、フインの切り込み分部で、角度は多少異なっても良いが、少し斜め状に切り込み又、垂直でよい切り込み部分をカッタナイフで入れると力強く蛇行回転し、折り目部分は、手で開き過ぎず図６、３５度位に曲げを入れる。
【０００９】
図３は、上からの平面図及びフインを均等の状態3箇所位が好ましい。
【００１０】
図４は、支柱軸で、頂点が、必ず丸み帯びている。支柱軸は長く無くても短く回転を生じる。
【００１１】
図５は、断面図  内部構造を示す図で筒状体の中は、空洞状態で支柱軸とは、独立状態である。
【００１２】
図６は、完成図  筒状体の上部膨らみ箇所は、支柱軸頂点が、筒状体の中心軸ズレの補修部分  １a 1b 1c は、フイン開きで、風が当たる開き部分は３５度位筒状体の中は、空洞状態で風がフインに当たり、その空洞に入り込み次の前のフインから風が抜け押した状態で二方向構造式である。
【００１３】
図７は、設置図面  支柱軸を、土に垂直挿し筒状体を、上に載せる。
【００１４】
図８は、保護ネットの平面図でタスキ型。
【００１５】
図９は、保護網取り付け図  筒状体のフインを強固にし安全を確保にする。網は、無くても回転するがネットを用いると強風でもフイン傷めない細い針金又細いネット状で、ネットの面は大きい面でフインを囲む状態保護できる位の軽い物。
【図面の簡単な説明】
【００１６】
【図１】もぐらおどしの側面図及び底面図
【図２】もぐらおどしの切り込みの状態を示す図
【図３】もぐらおどしの平面図
【図４】もぐらおどしの支柱を示す図
【図５】もぐらおどしの内部状態を示す図
【図６】もぐらおどしの斜視図
【図７】もぐらおどしの設置状態を示す図
【図８】もぐらおどしの保護ネット平面図
【図９】もぐらおどしの保護ネット取り付け図
【符号の説明】
【００１７】
１  筒状体構造物
２  支柱軸
３  保護ネット
１a  フイン
１b  フイン
１c  フイン
（a）凹凸部分
（b）高音箇所
（c）低音箇所
【図１】
0003154065.tif 000003
【図２】
0003154065.tif 000004
【図３】
0003154065.tif 000005
【図４】
0003154065.tif 000006
【図５】
0003154065.tif 000007
【図６】
0003154065.tif 000008
【図７】
0003154065.tif 000009
【図８】
0003154065.tif 000010
【図９】
0003154065.tif 000011
【手続補正書】
【提出日】平成21年7月9日(2009.7.9)
【手続補正１】
【補正対象書類名】実用新案登録請求の範囲
【補正対象項目名】全文
【補正方法】変更
【補正の内容】
【実用新案登録請求の範囲】
【請求項１】
筒状体のアルミ製回転構造物で、筒状体の表面に３箇所以上の切り込みを入れた後前記各切り込みに囲まれた部分を曲げを起こすことによって形成された複数のフインと筒状体の中心軸にそって回転する為の回転軸と前記筒状体の底面中心部を回転可能に支持する為の支柱軸からなることを特徴とするモグラおどし。
(57)【要約】      （修正有）【課題】歯ブラシと歯間ブラシを一体化した歯間ブラシつき歯ブラシを提供する。【解決手段】歯ブラシ柄２の端に歯間ブラシ７を収める鞘３を設け、その鞘３の開口に蓋５を設け、蓋５に歯間ブラシ７を装着し、鞘に蓋をすると歯間ブラシを鞘に収め、蓋を開けると歯間ブラシを使用できる。さらに、歯ブラシ柄の鞘の部位に、内視可能な透明口を設けて歯間ブラシつき歯ブラシを構成する。【選択図】図１
0003154066.tif 000002
【実用新案登録請求の範囲】
【請求項１】
歯間ブラシつき歯ブラシは、歯ブラシ柄の端に歯間ブラシ用鞘を設け、その鞘の口に蓋をつけ、歯ブラシ柄の鞘の部位に内視可能な透明口を設けるとこが特徴である。
【請求項２】
請求項１による歯間ブラシつき歯ブラシは、その鞘の蓋に歯間ブラシをつけたとこが特徴である。
【考案の詳細な説明】
【技術分野】
【０００１】本考案は、日常生活用品にかかわるもので、歯ブラシに関する歯間ブラシつき歯ブラシである。
【背景技術】
【０００２】日常生活の中で、歯を清潔にするために歯ブラシで歯を磨くのが大きな特徴であるが、歯ブラシだけでは歯間に詰まったものが取れないこともあり、そこで歯間ブラシが使われる。歯間ブラシはものが小さく、使用後安全、清潔に保管するに面倒なことがある。現在、その歯ブラシと歯間ブラシは二つのものにわかれ、使用上に不便さがしょうじる。
【考案の開示】
【考案が解決しようとする課題】
【０００３】本考案は、歯ブラシと歯間ブラシをより便利に使用できるようにしながら、尚安全、清潔に保管できるようにするものである。
【課題を解決するための手段】
【０００４】本考案は、歯ブラシ柄の端に歯間ブラシ用鞘を設け、その鞘の口に蓋をつける。歯ブラシ柄の鞘の部位に内視可能な透明口を設ける。その鞘の蓋に歯間ブラシをつけ、歯ブラシと歯間ブラシを一体化し、使用上に便利で、保管上に安全、清潔にする。
【考案の効果】
【０００５】上述の様に、本考案の歯ブラシと歯間ブラシを一体化することによって、歯ブラシと歯間ブラシ使用上の利便性と保管上の安全、清潔面で役立つ。
【考案の実施するための最良の形態】
【０００６】歯磨きするとき、歯間ブラシつき歯ブラシを持ち、歯ブラシで歯を磨く。さらに歯間を清潔にしたいとき、歯間ブラシつき歯ブラシ柄の端の歯間ブラシが入った鞘の蓋を抜き、蓋に差し込まれた歯間ブラシの蓋の部分を持ち、歯間を清潔にする。歯間ブラシは使用後、水洗いし、歯間ブラシに付着した水を振り落とし、歯間ブラシを鞘に入れ、蓋をする。
【実施例】
【０００７】以下、添付図面に従って一実施例を説明する。まず、歯ブラシ１で歯を磨く。歯ブラシ柄２の端に歯間ブラシ用鞘３があり、鞘口４に蓋５が付けてある。蓋５に歯間ブラシ７が差し込まれ、蓋５は歯間ブラシの取手となる。歯間ブラシの有無の確認は透明口６でできる。歯間ブラシを使用するときは、蓋５を抜き、蓋５を持ち、歯間ブラシ７を使用する。使用後は歯間ブラシ７を鞘３に入れ、蓋５を鞘口４に付ける。
【図面の簡単な説明】
【０００８】
【図１】本考案の立体図面である。
【符号の説明】
【０００９】１歯ブラシ
２歯ブラシの柄
３鞘
４鞘口
５蓋
６透明口
７歯間ブラシ
【図１】
0003154066.tif 000003
【手続補正書】
【提出日】平成21年7月9日(2009.7.9)
【手続補正１】
【補正対象書類名】実用新案登録請求の範囲
【補正対象項目名】全文
【補正方法】変更
【補正の内容】
【実用新案登録請求の範囲】
【請求項１】
歯ブラシ柄の端に歯間ブラシを収める鞘を設け、その鞘の開口に蓋を設け、蓋に歯間ブラシを装着し、鞘に蓋をすると歯間ブラシを鞘に収め、蓋を開けると歯間ブラシを使用でき、尚歯ブラシ柄の鞘の部位に内視可能な透明口を設けることを特徴とする歯間ブラシつき歯ブラシ。
(57)【要約】      （修正有）【課題】車の日よけカバーにサングラス状のＵ型板をはめ込み設置して日差しをよける、日よけカバーサングラス板を提供する。【解決手段】日よけカバー１にＵ型はめ込み板２をはめ込み、Ｕ型はめ込み板２に設けた凸凹型通し穴とサングラス板４の上部に設けた凸凹型通し穴を重ね、差し込み棒を通し止めネジで止めることで日よけカバーサングラス板となり、取り付けることにより日差しをよけることが出来るよう構成する。【選択図】図６
0003154068.tif 000002
【実用新案登録請求の範囲】
【請求項１】
日よけカバーにＵ型サングラス板をはめ込む、日よけカバーサングラス板
【請求項２】
日よけカバーサングラス板は各種色つきのサングラス板を取り替えることが自由に出来る、日よけカバーサングラス板。
【考案の詳細な説明】
【技術分野】
【０００１】  本考案は車の日よけカバーにサングラス状のＵ型板をはめ込み、設置する日よけカバーサングラス板である。
【背景技術】
【０００２】  運転席の上部に日よけカバーが取り付けてあり、日が差すと日よけカバーを上下することで日差しをよけ、運転していた。
【先行技術文献】
【特許文献】
【０００３】
【特許文献１】
【非特許文献】
【０００４】
【非特許文献１】
【考案の概要】
【考案が解決しようとする課題】
【０００５】  日よけカバーを上下するだけでは、日差しをよけきれず前方が見づらい。日よけカバーサングラス板を下げることで日差しもよけ、安全運転が出来るものである。
【課題を解決するための手段】
【０００６】  本考案は車に設けてある日よけカバーにＵ型のサングラス板をはめ込む、Ｕ型のサングラス板の１／３部分に自在に折れ曲がるよう、上下のサングラス板に凸凹型穴を設け上下の凸凹型穴に棒状のネジを通し、止めネジで強く締めることで自在に折れ曲がることが出来、どんなに日差しが強くても安全な運転が出来る日よけカバーサングラス板である。
【考案の効果】
【０００７】  日よけカバーサングラス板に色つきスケルトンなどで、日差しの強い日でも視界を遮ることなく安全かつ快適に運転することが出来る。尚スケルトンには色々な色板があり、取替え使用することでサングラス板を楽しむことも出来る。
【図面の簡単な説明】
【０００８】
【図１】従来の日よけカバー正面図である。
【図２】Ｕ型板立体図である
【図３】凸凹型通し穴立体図
【図４】凸凹型通し穴つきサングラス板立体図
【図５】差し込み棒と止めネジ立体図
【図６】本考案日よけカバーサングラス板正面図
【考案を実施すための形態】
【０００９】  従来の日よけカバーにＵ型日よけカバーサングラス板をはめ込むように取り付ける。Ｕ型板の１／３から上に設けた凸凹型穴と１／３から下に設けた凸凹型穴を棒状のネジで固定しつなぐ事で角度を自由に変更できるようにし、日差しや目線に合った角度にあわせ停止させ使用することが出来る。また、Ｕ型板の１／３から下部は好みのサングラス板を自由に取り替えることが出来るものである。
【実施例】
【００１０】  日よけカバー１にＵ型はめ込み板２をはめ込み、Ｕ型はめ込み板２に設けた凸凹型通し穴３とサングラス板４の上部に設けた凸凹型板通し穴３を重ね、差し込み棒５を通し止めネジ６で止めることで日よけカバーサングラス板となる。
【符号の説明】
【００１１】１  日よけカバー
２  Ｕ型はめ込み板
３  凸凹型通し穴
４  サングラス板
５  差し込み棒
６  止めネジ
【図１】
0003154068.tif 000003
【図２】
0003154068.tif 000004
【図３】
0003154068.tif 000005
【図４】
0003154068.tif 000006
【図５】
0003154068.tif 000007
【図６】
0003154068.tif 000008
【手続補正書】
【提出日】平成21年7月2日(2009.7.2)
【手続補正１】
【補正対象書類名】実用新案登録請求の範囲
【補正対象項目名】全文
【補正方法】変更
【補正の内容】
【実用新案登録請求の範囲】
【請求項１】
日よけカバーにＵ型サングラス板をはめ込む、日よけカバーサングラス板。
【請求項２】
日よけカバーサングラス板は各種色つきのサングラス板を取り替えることが自由に出来るのを特徴とする請求項１記載の日よけカバーサングラス板。
(57)【要約】      （修正有）【課題】熱湯による消毒と清水を加えたぬるま湯による直腸洗浄を単独で数分間に実行できる直腸洗浄器を提供する。【解決手段】臀部接触部球面本体に角度をつけた突起物があり、手動式生体洗浄器を臀部接触部球面本体上にあけた穴に通し、臀部球面本体の角度に沿い、浣腸用長先によって手動式生体洗浄器を固定し、熱湯消毒用円柱容器内にはめ合わせ臀部接触部球面と手動式生体洗浄器及び浣腸用長先を同時消毒する。【選択図】図３
0003154064.tif 000002
【実用新案登録請求の範囲】
【請求項１】
直腸内洗浄に伴い容易に肛門に挿入すべく臀部接触部球面本体に傾斜角度をつけた突起物より手動式生体用洗浄器浣腸用長先を設置する
【請求項２】
手動式生体用洗浄器および球体本体を熱湯消毒する接置面を設けた容器
【考案の詳細な説明】
【技術分野】
【０００１】  本考案は手動式生体洗浄器を使用し直腸洗浄を一人で薬品を使わず熱湯消毒により行える洗浄装置である
【背景技術】
【０００２】直腸洗浄を試みるに肛門の位置および手動式生体洗浄器浣腸用長先の挿入とその消毒
【考案の開示】
【考案が解決しようとする課題】
【０００３】熱湯消毒による手動式生体洗浄器の洗浄、臀部に接触する球面部本体による手動式生体洗浄器浣腸用長先の容易な肛門挿入とぬるま湯による直腸洗浄
【課題を解決するための手段】
【０００４】本考案は円柱容器内に臀部接触部球面本体を収めた、熱湯を容器内に注入し手動式生体洗浄器を押圧し熱湯消毒を行う、容器内に清水を注ぎ手動式生体用洗浄器を動かしぬるま湯が容器内を行き渡るようにする、平面上に臀部接触部球面本体を洗浄器の噴出し部を上に向け肛門に浣腸長先を挿入し通常の洗浄を行う
【考案の効果】
【０００５】上記の様に本考案は熱湯による消毒と清水を加えたぬるま湯による直腸洗浄を単独で数分間に実行できることにある
【考案を実施するための最良の形態】
【０００６】通常は球面部本体が円柱容器内に収まり洗浄実行時に球面本体を容器より取り出し実行する
【実施例】
【０００７】以下添付図面に従って説明する、全体図は［図３］である球面本体１、をそのまま円柱容器６、よりはずし熱湯を注ぐ手動式生体洗浄器７、を押圧し浣腸用長先５、から噴出し消毒をする、球面本体１、を戻し円柱容器６、を回し消毒する、球面本体１、を容器６、よりはずし清水を容器６、注ぐ、球面本体１、を平面上に上向きに置き［図１］直腸洗浄を施す後、［図３］球面本体１、戻し浣腸用長先５、を容器６、を回し洗浄する
【産業上の利用可能性】
【０００８】手動式生体洗浄器７を押圧することによって長先５より噴出する熱湯あるいはぬるま湯が容器６内で順次行える【０００９】本考案［図  ３］は洗浄器全体図である［図  １］は洗浄時状態、上面図［図  ２］
【図面の簡単な説明】
【００１０】
【図１】  本考案洗浄器球面部の側面図一部断面図
【図２】  本考案洗浄器球面部の上面図
【図３】  本考案洗浄器［図１］［図２］組立図一部断面図
【符号の説明】
【００１１】１  臀部接触部球面本体
２  円柱容器球面部はめあい部
３  手動式生体洗浄器様穴
４  球面部１、下面部
５  手動式生体洗浄器浣腸用長先
６  円柱容器
７  手動式生体洗浄器
【図１】
0003154064.tif 000003
【図２】
0003154064.tif 000004
【図３】
0003154064.tif 000005
【手続補正書】
【提出日】平成21年7月8日(2009.7.8)
【手続補正１】
【補正対象書類名】実用新案登録請求の範囲
【補正対象項目名】全文
【補正方法】変更
【補正の内容】
【実用新案登録請求の範囲】
【請求項１】
：臀部接触部球面本体に角度をつけた突起物があり手動式生体洗浄器を臀部接触部球面本体上にあけた穴よりとうし臀部球面本体の角度に沿い浣腸用長先によって手動式生体洗浄器を固定し熱湯消毒用円柱容器内にはめ合わせ臀部接触部球面と手動式生体洗浄器及び浣腸用長先を同時消毒する事を特徴とする直腸洗浄器
(57)【要約】      （修正有）【課題】常温の圧縮空気を乾燥塔に流入させるだけで除湿と吸着剤の再生を行うことができる乾燥空気発生装置を提供する。【解決手段】電源１４を入力する事により、タイマー回路１１が作動し、電磁弁２を作動させる。電磁弁を通過した湿り空気（圧縮空気）１は吸着剤を充填した乾燥塔３に流入し、水分が除去され乾燥空気となる。乾燥空気は流量調整弁４を通り２系統に別れ、１系統は出力弁５を通過し、乾燥空気６として取り出される。他の１系統は流量調整弁７を通り、乾燥塔８に流入し、吸着材を乾燥させ、電磁弁２を通り、消音器９より排気１０される。タイマー回路１１の設定時間によりこの流れは自動的に切り替わり逆に流れ、同様の動作を行い、連続して乾燥空気６を発生させる。また、この一連の動作がなされている期間に流量調整弁４（或いは７）にて流量を調整し、求める乾燥空気６の露点温度を任意に設定する。【選択図】図２
0003154057.tif 000002
【実用新案登録請求の範囲】
【請求項１】
常温の圧縮空気を水分吸湿材の入った塔を通過させ、塔出口の流量を弁にて調整することにより、任意の露点温度を有する乾燥空気を発生させる吸着式除湿型の乾燥空気発生装置。
【請求項２】
再生用塔内の水分吸着剤の乾燥を他方の塔で生成中の乾燥空気を逆流させることで吸着材の再生を行う事のできる吸着式除湿型の乾燥空気発生装置。
【考案の詳細な説明】
【技術分野】
【０００１】  本考案は、水分吸着剤を利用し、その除湿作用により常温の乾燥空気を発生させるための装置であり、また吸着剤の乾燥再生において自己再生機能を有したものに関するものである。
【背景技術】
【０００２】  従来の吸着式除湿装置においては吸湿剤を充填した乾燥塔を２塔使用し、１塔に湿り空気を通して除湿を行い、他の１塔は吸着剤の再生を行い、交互に塔を切り替えながら連続的に除湿を行なっていた。この切り替え時に温湿度変動が起きていた。【０００３】  また吸着剤の効率を上げるために湿り空気の温度が上昇していると吸着効率を低減させるため、湿り空気を冷却装置で冷却し、冷却効率を上げる必要があり、冷媒を有する冷却装置を装備していた。【０００４】  再生する塔の再生方法は加熱装置を使用し熱風を作り、吸着剤の充填塔に送り込むか、或は再生する塔を加熱することで吸着剤の乾燥を行なっていた。再生をした塔の通過した後の排気は高温多湿であり、加熱装置を利用することでＣＯ２の排出があった。【０００５】  再生塔内の吸着剤は加熱による乾燥が行なわれるため、温度上昇があり、除湿された空気の温度上昇が否めなかった。【０００６】  冷却装置及び加熱装置を有しているため、消費電力が大であり、環境上も改善の要望があった。
【先行技術文献】
【特許文献】
【０００７】
【特許文献１】なし
【非特許文献】
【０００８】
【非特許文献１】なし
【考案の概要】
【考案が解決しようとする課題】
【０００９】  本考案は上記の技術背景に記載した課題を解決するために、外部からの圧縮空気を注入するだけで容易に除湿がなされ、流量調整により任意の露点温度設定を可能にし、吸着剤の自己再生機能を有した、環境対策も考慮した吸着式除湿機による常温の乾燥空気を提供する事にある。
【課題を解決するための手段】
【００１０】  本考案の吸着式除湿機は環境問題を考慮し、冷却装置及び加熱装置を取り除き、構造を簡素化させ、外部からの圧縮空気を注入するだけで容易に除湿を行い、生成される乾燥空気の露点温度を流量調整弁にて調整する事により、常温である乾燥空気が得られようにした。また、再生用の塔の乾燥剤を生成中の乾燥空気を一部逆流させる事で乾燥再生させる事にした。
【考案の効果】
【００１１】  本考案の吸着式除湿機は上記の如く構成したため、構造が非常に簡素化され、廉価な除湿機となった。また、乾燥塔再生のための加熱装置や吸着剤効率を上げるための冷却装置等を取り除くことで温湿度変動を抑止する事が出来た。同時に加熱が無いため、ＣＯ２の発生も低減でき環境対策も考慮する事ができた。
【図面の簡単な説明】
【００１２】
【図１】本発明の吸着式除湿機の構造図である。
【図２】本発明の吸着式除湿機の実施例１を示す回路ブロック図である。
【考案を実施するための形態】
【００１３】  水分を吸着する吸湿材１３を充填した乾燥筒３（或いは８）の下部から圧縮空気を流入させ、吸湿材で流入空気の水分を除去し、通過させ、乾燥筒上部の流量調整弁４（或いは７）で流量調整を行い任意の露点を決定し、出力弁５より常温の乾燥空気６を発生させる。その際、発生した乾燥空気の一部を再生用の乾燥塔８（或いは３）に流入させ、再生塔の吸着剤の乾燥をさせる。本考案は以上のような構成よりなる常温の乾燥空気を発生させる装置である。
【実施例】
【００１４】  電源１４を入力する事により、タイマー回路１１が作動し、電磁弁２を作動させる。電磁弁を通過した湿り空気（圧縮空気）１は吸着剤を充填した乾燥塔３に流入し、水分が除去され乾燥空気となる。乾燥空気は流量調整弁４を通り２系統に別れ、１系統は出力弁５を通過し、乾燥空気６として取り出される。他の１系統は流量調整弁７を通り、乾燥塔８に流入し、吸着材を乾燥させ、電磁弁２を通り、消音器９より排気１０される。タイマー回路１１の設定時間によりこの流れは自動的に切り替わり逆に流れ、同様の動作を行い、連続して乾燥空気６を発生させる。また、この一連の動作がなされている期間に流量調整弁４（或いは７）にて流量を調整し、求める乾燥空気６の露点温度を任意に設定する。
【符号の説明】
【００１５】１．圧縮空気
２．電磁弁
３．乾燥塔
４．流量調整弁
５．出力弁
６．乾燥空気
７．流量調整弁
８．乾燥塔
９．消音器
１０．排気
１１．タイマー回路ユニット
１２．架台
１３．吸着剤
１４．電源
【図１】
0003154057.tif 000003
【図２】
0003154057.tif 000004
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
常温の圧縮空気を水分吸湿材の入った乾燥塔を通過させ、塔出口の流量を弁にて調整することにより、任意の露点温度を有する乾燥空気を発生させる吸着式除湿型の乾燥空気発生装置。
【請求項２】
再生用塔内の水分吸着剤の乾燥を他の塔で生成中の乾燥空気を逆流させることで吸着材の再生を行う事のできる請求項１に記載の吸着式除湿型の乾燥空気発生装置。